【誤訳訂正書】
【提出日】平成27年5月19日(2015.5.19)
【誤訳訂正１】
【訂正対象書類名】特許請求の範囲
【訂正対象項目名】全文
【訂正方法】変更
【訂正の内容】
【特許請求の範囲】
【請求項１】
ワイヤレス通信リンクを介して通信するように構成されるデバイスであって、
承認インジケータを提供するように構成されたコントローラと、前記コントローラは、前記デバイスによって送信されているワイヤレス通信のタイプおよびワイヤレス通信リンクの状態に一部基づいて前記承認インジケータを調整するようにさらに構成される、
を備える前記デバイス。
【請求項２】
前記ワイヤレス通信リンクの前記状態は、前記デバイスによって受信されるワイヤレス信号の品質と、前記デバイスによって受信される信号についての誤り率と、前記デバイスからのパケットの再送信の数と、前記デバイスの現在の送信電力と、前記ワイヤレス通信リンクのリセットとを備える、請求項１に記載のデバイス。
【請求項３】
ワイヤレス通信の前記タイプは、複数の無線接続ベアラ通信である、請求項１に記載のデバイス。
【請求項４】
前記承認インジケータは、パケットヘッダフィールドにおいてビットを備える、請求項１に記載のデバイス。
【請求項５】
前記ワイヤレス通信リンクは、ユニバーサル・モバイル・テレコミュニケーション・システムを備える、請求項１に記載のデバイス。
【請求項６】
前記ワイヤレス通信リンクは、３Ｇシステムを備える、請求項１に記載のデバイス。
【請求項７】
ワイヤレス通信リンクを確立することと、
送信されているワイヤレス通信のタイプおよび前記ワイヤレス通信リンクの状態に一部基づいて前記ワイヤレス通信リンクを介して送信される承認インジケータを変更することと
を備える、ワイヤレス通信の方法。
【請求項８】
前記承認インジケータを変更することは、複数の無線接続ベアラワイヤレス通信タイプに基づく、請求項７に記載の方法。
【請求項９】
前記ワイヤレス通信リンクの前記状態に基づいて前記承認インジケータを変更することは、前記デバイスによって受信されるワイヤレス信号の品質、前記デバイスによって受信される信号についての誤り率、前記デバイスからのパケットの再送信の数、および前記ワイヤレス通信リンクのリセットのうちの少なくとも１つに基づいて前記承認インジケータを変更することを備える、請求項７に記載の方法。
【請求項１０】
前記承認インジケータを変更することは、パケットヘッダ値を変更することを備える、請求項７に記載の方法。
【請求項１１】
ワイヤレス通信リンクを介して通信するように構成されるデバイスであって、
前記ワイヤレス通信リンクを確立する手段と、
前記デバイスによって送信されているワイヤレス通信のタイプおよび前記ワイヤレス通信リンクの状態に一部基づいて前記ワイヤレス通信リンクを介して送信される承認インジケータを変更する手段と
を備えるデバイス。
【請求項１２】
前記変更する手段は、マルチキャスト無線接続ベアラワイヤレス通信タイプに基づいて前記承認インジケータを変更するように構成される、請求項１１に記載のデバイス。
【請求項１３】
前記変更するための手段は、前記デバイスによって受信されるワイヤレス信号の品質、前記デバイスによって受信される信号についての誤り率、前記デバイスからのパケットの再送信の数、および前記ワイヤレス通信リンクのリセットのうちの少なくとも１つに基づいて前記承認インジケータを変更するように構成される、請求項１１に記載のデバイス。
【請求項１４】
前記承認インジケータを変更する手段は、パケットヘッダ値を変更する手段を備える、請求項１１に記載のデバイス。
【請求項１５】
命令を備える非一時的なコンピュータ読取可能な記憶媒体であって、前記命令は、装置のプロセッサによって実行されると、前記装置に、
ワイヤレス通信リンクを確立させ、
前記装置によって送信されているワイヤレス通信のタイプと前記ワイヤレス通信リンクの状態に一部基づいて前記ワイヤレス通信リンクを介して送信される承認インジケータを変更させる、
コンピュータ読取可能な記憶媒体。
【請求項１６】
前記承認インジケータを変更することは、マルチキャスト無線接続ベアラワイヤレス通信タイプに基づいて前記承認インジケータを変更することを備える、請求項１５に記載のコンピュータ読取可能な記憶媒体。
【請求項１７】
前記承認インジケータを変更することは、前記デバイスによって受信されるワイヤレス信号の品質、前記デバイスによって受信される信号についての誤り率、前記デバイスからのパケットの再送信の数、および前記ワイヤレス通信リンクのリセットのうちの少なくとも１つに基づいて前記承認インジケータを変更することを備える、請求項１５に記載のコンピュータ読取可能な記憶媒体。
【請求項１８】
前記承認を変更することは、パケットヘッダ値を変更することを備える、請求項１５に記載のコンピュータ読取可能な記憶媒体。
【誤訳訂正２】
【訂正対象書類名】明細書
【訂正対象項目名】全文
【訂正方法】変更
【訂正の内容】
【発明の詳細な説明】
【発明の名称】ワイヤレス状態に基づく複数の無線接続ベアラ通信のためのシステム、方法および装置
【関連出願の相互参照】
【０００１】
[0001]  本開示は、本譲受人にその権利が譲渡され、「ワイヤレス状態に基づく複数の無線接続ベアラ通信のためのシステム、方法および装置（“SYSTEMS, METHODS AND APPARATUS FOR WIRELESS CONDITION BASED MULTIPLE RADIO ACCESS BEARER COMMUNICATIONS”）」と題された米国特許仮出願第６１/５３３，８９３号（２０１１年９月１３日出願）の優先権を主張する。この先願の開示は、本開示の一部と考慮され、本明細書に参考として組み込まれる。
【技術分野】
【０００２】
[0002]  本発明の態様はワイヤレス通信に関し、具体的には、ワイヤレス状態に基づく複数の無線接続ベアラ通信を可能にするように構成されたシステム、方法および装置に関する。
【背景技術】
【０００３】
[0003]  ワイヤレス通信システムは、音声、データ、およびその他のような様々なタイプの通信内容を提供するために広く展開される。これらのシステムは、利用可能なシステムリソース（例えば、帯域幅および送信電力）を共有することによって、複数のユーザとの通信を支援することのできる多元接続システム（multiple-access systems）でありうる。このような多元接続システムの例は、コード分割多元接続（ＣＤＭＡ）システム、時間分割多元接続（ＴＤＭＡ）システム、周波数分割多元接続（ＦＤＭＡ）システム、３ＧＰＰロングタームエボリューション（ＬＴＥ）システム、および直交周波数分割多重接続（ＯＦＤＭＡ）システムを含む。
【０００４】
[0004]  一般に、ワイヤレス多元接続（wireless multiple-access）通信システムは、複数のワイヤレス端末（例えば、携帯電話、タブレットコンピュータおよび他の電子デバイス）のために通信を同時に支援することができる。各ワイヤレス端末は、１つまたは複数のアップリンクおよびダウンリンク上の送信を介して、１つまたは複数の基地局と通信する。ダウンリンク（またはフォワードリンク）は、基地局からワイヤレス端末への通信リンクを指し、アップリンク（またはリーバースリンク）は、ワイヤレス端末から基地局への通信リンクを指す。これらの通信リンクは、単一入力単一出力（ＳＩＳＯ）、複数入力単一出力（ＭＩＳＯ）、または複数入力複数出力（ＭＩＭＯ）システムを介して、確立されうる。
【０００５】
[0005]  ＭＩＭＯシステムは、複数の送信アンテナと複数の受信アンテナとをデータ送信に採用する。送信および受信アンテナによって形成されたＭＩＭＯチャネルは、空間チャネルとも称される独立したチャネルに分解されうる。独立したチャネルの各々は、次元に対応する。複数の送信および受信アンテナによって生成される追加の次元が利用される場合、ＭＩＭＯシステムは、向上した性能（例えば、より高いスループットおよび／またはより高い信頼性）を提供できる。
【０００６】
[0006]  ＭＩＭＯシステムは、時分割デュプレックス（ＴＤＤ）および周波数分割デュプレックス（ＦＤＤ）システムを支援する。ＴＤＤシステムでは、相互関係の原理によって、アップリンクチャネルからのダウンリンクチャネルの推定が可能になるように、アップリンクおよびダウンリンク送信は、同じ周波数領域内である。これは、複数のアンテナが基地局において利用可能である場合、基地局がダウンリンク上で送信ビームフォーミングの利得（transmit beamforming gain）を抽出することを可能にする。
【０００７】
[0007]  基地局の主要な目的は、ワイヤレス端末または複数のワイヤレス端末とコア通信ネットワークとの間で接続性を提供することである。ＵＭＴＳ無線接続ネットワーク（ＲＡＮ）では、基地局の機能は、他の機能の中でとりわけ、コネクション設定、リソースの割り当ておよび移動度に対処（handle）する無線ネットワークコントローラ（ＲＮＣ）と、ワイヤレス端末のみならず共有されたチャネル上で接続されたユーザのためのリソースの割り当てから、およびそれらへの無線送信および受信に対処するように構成される基地局ノード（ノードＢ）の２つのネットワーク要素にわったって分割されうる。
【０００８】
[0008]  ワイヤレス端末と基地局との間の呼接続を確立するために、無線接続ベアラ（ＲＡＢ）が必要とされる。ＲＡＢは、ワイヤレス端末とコア通信ネットワークとの間の音声または他のデータを搬送する。例えば、音声データ、ストリーミングデータ（例えば、ビデオクリップのストリーミング）、相互作用データ（例えば、ウェブサイトと相互作用する）およびその他のような異なるタイプのデータについて異なるタイプのＲＡＢが存在する。同時の音声とデータのコネクションは、複数のＲＡＢを要求し、マルチＲＡＢまたはＭＲＡＢコネクションと称されうる。例えば、３ＧのＵＭＴＳなどの、組合された音声とデータネットワークの初期には、同時の音声とデータのコネクションは、普及していなかった。しかしながら、最新のワイヤレス端末デバイス（例えば、タッチスクリーンのセルラ電話）は、次第に音声とデータのコネクションを同時に使用する（increasingly use voice and data connections simultaneously）。ＭＲＡＢ呼は、単一のＲＡＢ呼またはコネクションに比べて、切断された呼またはコネクションの増加した比率を経験することが知られている。その１つの原因は、例えば、様々なワイヤレス信号の状態のためでありうる。したがって、ＭＲＡＢ呼の間、ワイヤレス端末と基地局との間の通信を改良する必要がある。
【発明の概要】
【０００９】
[0009]  添付された本願の特許請求の範囲内のシステム、方法、および装置の様々な実施は、それぞれいくつかの態様を有し、これらのうちのいずれも、単独で本明細書に説明された好ましい特質を担うものではない。添付された特許請求の範囲を限定することなく、いくつかの目立った特徴が本明細書に説明される。この論議を考慮した後、具体的に、「詳細な説明」と題するセクションを読んだ後に、どのように様々な実施の特徴がＭＲＡＢ呼における様々なチャネルへの電力の割り当てを管理するために使用されるかを理解するだろう。
【００１０】
[0010]  一態様では、ワイヤレス通信リンクを介して通信するように構成されたデバイスが提供される。このデバイスは、コントローラを含む。コントローラは、承認インジケータを提供するように構成される。さらに、コントローラは、デバイスによって送信されているワイヤレス通信のタイプおよびワイヤレス通信リンクの状態に一部基づいて承認インジケータを調整するように構成される。ワイヤレス通信リンクの状態は、デバイスによって受信されるワイヤレス信号の品質、デバイスによって受信される信号についての誤り率、デバイスからのパケットの再送信（re-transmissions）の数、およびワイヤレス通信リンクのリセットを含みうる。そのワイヤレス通信のタイプは、マルチキャスト無線接続ベアラ通信である。承認インジケータは、パケットヘッダフィールドにおいてビットを備える。ワイヤレス通信リンクは、ユニバーサル・モバイル・テレコミュニケーション・システムを備える。ワイヤレス通信リンクは、３Ｇシステムを備える。
【００１１】
[0011]  別の態様では、ワイヤレス通信の方法が提供される。方法は、ワイヤレス通信リンクを確立することを含む。方法は、送信されているワイヤレス通信のタイプおよびワイヤレス通信リンクの状態に一部基づいてワイヤレス通信リンクを介して送信される承認インジケータを変更する（alter）ことを含む。いくつかの実施では、承認インジケータを変更することは、複数の無線接続ベアラワイヤレス通信タイプに基づきうる。
いくつかの実施では、承認インジケータを変更することは、デバイスによって受信されるワイヤレス信号の品質、デバイスによって受信される信号についての誤り率、デバイスからのパケットの再送信の数、およびワイヤレス通信リンクのリセットのうちの少なくとも１つに基づいて承認インジケータを変更することを備えるワイヤレス通信リンクの状態に基づきうる。いくつかの実施では、承認インジケータを変更することは、パケットヘッダ値を変更することを含みうる。
【００１２】
[0012]  さらに別の態様では、ワイヤレス通信リンクを介して通信するように構成された別のデバイスが提供される。このデバイスは、ワイヤレス通信リンクを確立する手段を含む。デバイスは、デバイスによって送信されているワイヤレス通信のタイプおよびワイヤレス通信リンクの状態に一部基づいてワイヤレス通信リンクを介して送信される承認インジケータを変更する手段を含む。
【００１３】
[0013]  変更する手段は、複数の無線接続ベアラワイヤレス通信タイプに基づいて承認インジケータを変更するように構成されうる。いくつかの実施では、変更する手段は、デバイスによって受信されるワイヤレス信号の品質、デバイスによって受信される信号についての誤り率、デバイスからのパケットの再送信の数、およびワイヤレス通信リンクのリセットのうちの少なくとも１つに基づいて承認インジケータを変更するように構成される。承認インジケータを変更する手段は、パケットヘッダ値を変更する手段を含みうる。
【００１４】
[0014]  別の態様では、命令を備える非一時的コンピュータ読取可能な記憶媒体が提供される。命令は、装置のプロセッサによって実行される場合、装置にワイヤレス通信リンクを確立させる。さらに、命令は、装置によって送信されているワイヤレス通信のタイプおよびワイヤレス通信リンクの状態に一部基づいてワイヤレス通信リンクを介して送信される承認インジケータを、装置に変更させる。いくつかの実施では、承認インジケータを変更することは、複数の無線接続ベアラワイヤレス通信タイプに基づきうる。いくつかの実施では、承認インジケータを変更することは、デバイスによって受信されるワイヤレス信号の品質、デバイスによって受信される信号についての誤り率、デバイスからのパケットの再送信の数、およびワイヤレス通信リンクのリセットのうちの少なくとも１つに基づいて承認インジケータを変更することを備えるワイヤレス通信リンクの状態に基づきうる。いくつかの実施では、承認インジケータを変更することは、パケットヘッダ値を変更することを含みうる。
【図面の簡単な説明】
【００１５】
[0015]  本開示の特徴を詳細に理解できるような方法で、上では簡潔に概要を述べた、より特定の説明が、態様を参照して行われ、それらのいくつかは、添付の図面に例示される。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、ワイヤレス通信システムの典型的な機能ブロック図を示す。
【図２】図２は、ワイヤレス端末および基地局などの通信ノードとの間の通信を容易にするために採用されうるコンポーネントの典型的な機能ブロック図を示す。
【図３】図３は、ワイヤレス端末におけるワイヤレス状態に基づく通信の方法の実施を例示する典型的な流れ図を示す。
【図４】図４は、ワイヤレス端末におけるワイヤレス状態に基づく通信の方法の別の実施を例示する典型的な流れ図を示す。
【図５】図５は、別のワイヤレス端末の典型的な機能ブロック図を示す。
【００１６】
[0021]  習慣に従って、図面に例示される様々な特徴は、縮尺通りではない場合がある。したがって、様々な特徴の寸法は、明確さのために独断的に拡大または縮小されうる。
加えて、図面のいくつかは、所与のシステム、方法またはデバイスのコンポーネントの全てを描写しない場合がある。最後に、本明細書および図面を通して、同一の参照番号は、同一の特徴を示すために使用されうる。
【詳細な説明】
【００１７】
[0022]  本願の特許請求の範囲内の実施の様々な態様が以下に説明される。本明細書の態様が広く様々な形態で実施されうること、本明細書に説明されている任意の特定の構造および／または機能は単に例示的なものにすぎないことが明らかであるべきである。本開示に基づき、当業者は、ここに記載された態様が、任意の他の態様とは独立して実施されうること、これらの態様のうちの２つ以上が、様々な手法で組み合わされうることを理解すべきである。例えば、ここで述べた任意の数の態様を用いて、装置を実施され、および／または、方法を実行してもよい。加えて、本明細書に記載された態様のうちの１つまたは複数に追加された、または、本明細書に記載された態様のうちの１つまたは複数とは異なる他の構成および／または機能を用いて、このような装置が実施され、および／または、このような方法が実現されうる。
【００１８】
[0023]  ここに説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような様々なワイヤレス通信ネットワークのために使用されうる。「ネットワーク」および「システム」という用語は、しばしば交換可能に使用される。ＣＤＭＡネットワークは、ユニバーサル地上無線アクセス（ＵＴＲＡ）、ＣＤＭＡ２０００等のような無線技術を実施しうる。ＵＴＲＡは、広帯域ＣＤＭＡ（Ｗ−ＣＤＭＡ（登録商標））および低チップレート（ＬＣＲ）を含む。ＣＤＭＡ２０００は、ＩＳ−２０００規格、ＩＳ−９５規格、およびＩＳ−８５６規格をカバーする。ＴＤＭＡネットワークは、モバイル通信のためのグローバルシステム（ＧＳＭ（登録商標））のような無線技術を実施しうる。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、ＩＥＥＥ８０２．２２、フラッシュ−ＯＦＤＭＡ（登録商標）等のような無線技術を実施しうる。ＵＴＲＡ、Ｅ−ＵＴＲＡ、およびＧＳＭは、ユニバーサル・モバイル・テレコミュニケーション・システム（ＵＭＴＳ）の一部である。ロングタームエボリューション（ＬＴＥ）は、Ｅ−ＵＴＲＡを使用するＵＭＴＳの公開される（upcoming）リリースである。ＵＴＲＡ、Ｅ−ＵＴＲＡ、ＧＳＭ、ＵＭＴＳ、およびＬＴＥは、「第３世代パートナシッププロジェクト」（３ＧＰＰ）と命名された組織からの文書において説明される。同様に、ＣＤＭＡ２０００は、「第３世代パートナシッププロジェクト２」（３ＧＰＰ２）と命名された組織からの文書において説明される。
【００１９】
[0024]  いくつかの態様では、ここに記載する教示が大規模なカバレッジ（例えば、マクロセルネットワークと典型的に称される３Ｇネットワークのような広範囲のセルラネットワーク）と小規模なカバレッジ（例えば、住居や建物をベースとするネットワーク環境）を含むネットワークに採用されうる。ワイヤレス端末（ＷＴ）またはユーザ機器（ＵＥ）がこのようなネットワークを通して移動するとき、ワイヤレス端末が、例えば、フェムトノード（ＦＮ）などの小規模なカバレッジを提供するアクセスノードによって他の位置においてサービスされうる一方で、ワイヤレス端末は、広範囲なカバレッジを提供するアクセスノード（ＡＮ）または基地局（ＢＳ）によってある位置においてサービスされうる。いくつかの態様では、容量の増大、建物内カバレッジ、および異なるサービス（例えば、よりロバスト（robust）なユーザ経験のための）を提供するために、より狭いカバレッジノードが使用されうる。ここでの論議では、比較的広範囲の領域のカバレッジを提供するノードはマクロノード称されうる。比較的狭い領域（例えば、住宅）のカバレッジを提供するノードはフェムトノードと称されうる。マクロ領域よりも狭く、フェムト領域よりも広い領域のカバレッジを提供するノードはピコノードと称されうる（例えば、商業施設内のカバレッジを提供する）。
【００２０】
[0025]  マクロノード、フェムトノード、またはピコノードに関係付けられるセルは、それぞれマクロセル、フェムトセル、またはピコセルと称されうる。いくつかの実施では、各セルは、１つまたは複数のセクタに（例えば、分割され（divided into））さらに関連付けられうる。
【００２１】
[0026]  様々なアプリケーションでは、マクロノード、フェムトノード、またはピコノードを称するために、他の用語が使用されうる。例えば、マクロノードは、アクセスノード、アクセスポイント、基地局、ノードＢ、ｅノードＢ、マクロセル、およびその他として称され、または構成されうる。また、フェムトノードは、ホームノードＢ（HNB）、ホームｅノードＢ（ＨｅＮＢ）、アクセスポイント、フェムトセル、およびその他として称され、または構成されうる。
【００２２】
[0027]  図１は、ワイヤレス通信システムの典型的な機能ブロック図を示す。ワイヤレス通信システム１０は、少なくとも１つのワイヤレス端末１００と、第１の通信リンク１６１および第２の通信リンク１６３で互いに通信するように構成された少なくとも１つの基地局１０１を含みうる。第１および第２の通信リンク１６１、１６３の各々は、各サイクルの間に単一のパケットが送信されることができる単一のパケット通信リンク、または各サイクルの間に複数のパケットが送信されることができるマルチパケット通信リンクでありうる。例えば、第１の通信リンク１６１は、ゼロ個、１個、または２個のパケットが各サイクルの間に送信されることができる二重のパケット（dual-packet）の通信リンクでありうる。
【００２３】
[0028]  図１に示された実施では、ワイヤレス端末１００は、メモリ１２０、入力デバイス１３０、および出力デバイス１４０と結合されたプロセッサ１１０を含む。プロセッサは、モデム１５０およびトランシーバ１６０と結合されうる。また、示されるトランシーバ１６０は、モデム１５０およびアンテナ１７０と結合される。ワイヤレス端末１００およびそのコンポーネントは、バッテリ１８０および／または外部電源（external power source）によって電源投入されうる。いくつかの実施では、バッテリ１８０、またはその一部が、電力インタフェース１９０を介して外部電源によって再充電可能である。別々に説明されたが、ワイヤレス端末１００に関して説明された機能ブロックは、別々の構成要素である必要はないことが理解されるべきである。例えば、プロセッサ１１０およびメモリ１２０は、単一チップにおいて実施されうる。同様に、２つ以上のプロセッサ１１０、モデム１５０、およびトランシーバ１６０は、単一チップにおいて実施されうる。
【００２４】
[0029]  プロセッサ１１０は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブルロジックデバイス、ディスクリートゲートまたはトランジスタロジック、ディスクリートハードウェアのコンポーネント、またはここに説明される機能を実行するように設計されたこれらの任意の適切な組み合わせでありうる。また、プロセッサは、例えば、ＤＳＰとマイクロプロセッサの組み合わせ、複数のマイクロプロセッサ、ＤＳＰコアと連携した１つまたは複数のマイクロプロセッサ、またはその他任意のこのような構成などの、コンピューティングデバイスの組み合わせとして実施されうる。
【００２５】
[0030]  図１に示される実施では、プロセッサ１１０は、１つまたは複数のバスを介して、メモリ１２０から情報を読み取り、またはこのメモリに情報を書き込むように結合されうる。これに加えて、またはその代わりに、プロセッサは、プロセッサレジスタのようなメモリを包含しうる。メモリ１２０は、異なるレベルが異なる容量および接続速度を有するマルチレベル階層キャッシュを含む、プロセッサキャッシュを含みうる。また、メモリ１２０は、ランダムアクセスメモリ（ＲＡＭ）、他の揮発性記憶デバイス、または不揮発性記憶デバイスを含みうる。記憶装置は、ハードドライブ、コンパクトディスク（ＣＤ）またはデジタルビデオディスク（ＤＶＤ）などの光ディスク、フラッシュメモリ、フロッピー（登録商標）ディクス、磁気テープ、およびＺｉｐ（登録商標）ドライブを含みうる。
【００２６】
[0031]  また、プロセッサ１１０は、ワイヤレス端末１００のユーザから入力を受信するために構成された入力デバイス１３０と、ワイヤレス端末１００のユーザへ出力を提供するために構成された出力デバイス１４０とに結合される。適切な入力デバイスは、それに限定されるものではないが、キーボード、ボタン、キー、スイッチ、ポインティングデバイス、マウス、ジョイスティック、リモコン、赤外線検出器、ビデオカメラ（例えば、手のジェスチャや顔のジェスチャを検出する、ビデオ処理ソフトウェアと場合によっては結合される）、動き検出器（motion detector）、またはマイクロフォン（例えば、音声のコマンドを検出する、オーディオ処理ソフトウェアと場合によっては結合される）を含みうる。適切な出力デバイスは、それに限定されるものではないが、ディスプレイおよびプリンタを含む、視覚的出力デバイスと、スピーカ、ヘッドホン、イアホン、およびアラームを含む、音声出力デバイスと、力フィードバック・ゲーム・コントローラおよび振動デバイスを含む、触覚出力デバイスとを含みうる。
【００２７】
[0032]  プロセッサ１１０は、モデム１５０およびトランシーバ１６０と結合されうる。モデム１５０およびトランシーバ１６０は、アンテナ１７０を介して通信リンク１６１、１６３でのワイヤレス送信のためのプロセッサ１１０によって生成されたデータを準備するように構成されうる。また、モデム１５０およびトランシーバ１６０は、アンテナ１７０を介して通信リンク１６１、１６３で受信されるデータを復調する。いくつかの実施では、モデム１５０およびトランシーバ１６０は、１つまたは複数のエアインタフェース規格に沿って動作するように構成されうる。トランシーバは、送信機１６２、受信機１６４、または両方を含みうる。他の実施では、送信機１６２および受信機１６４は、２つの個別のコンポーネントである。モデム１５０およびトランシーバ１６０は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブルロジックデバイス、ディスクリートゲートまたはトランジスタロジック、ディスクリートハードウェアのコンポーネント、またはここに説明される機能を実行するように設計されたこれらの任意の適切な組み合わせとして実施されうる。アンテナ１７０は、複数入力複数出力（ＭＩＭＯ）通信のための複数のアンテナを含みうる。
【００２８】
[0033]  ワイヤレス端末１００およびそのコンポーネントは、バッテリ１８０および／または外部電源によって電源投入されうる。バッテリ１８０は、エネルギを格納する任意のデバイス、および、具体的には化学エネルギ（chemical energy）を格納し、それを電子エネルギとして提供する任意のデバイスでありうる。バッテリ１８０は、リチウムポリマーバッテリ（lithium polymer battery）、リチウムイオンバッテリ、ニッケル水素バッテリ、またはニッケルカドミウムバッテリを含む１つまたは複数のセカンダリバッテリを、あるいは、アルカリバッテリ、リチウムバッテリ、酸化銀バッテリ、または炭酸亜鉛バッテリ（zinc carbon battery）を含む１つまたは複数のプライマリセルを含む１つまたは複数のプライマリセルを含みうる。外部電源は、壁ソケット（wall socket）、乗り物のたばこのライターのレセプタクル、ワイヤレスエネルギ転送プラットホーム、または太陽を含みうる。
【００２９】
[0034]  いくつかの実施では、バッテリ１８０、またはその一部が、電力インタフェース１９０を介して外部電源によって再充電可能である。電力インタフェース１９０は、バッテリ充電器をつなげるためのジャック、近距離場ワイヤレスエネルギ送信のためのインダクタ、または太陽エネルギを電子エネルギに変換するための光起電性パネルを含みうる。
【００３０】
[0035]  いくつかの実施では、ワイヤレス端末１００は、モバイルテレホン、携帯情報端末（ＰＤＡ）、ハンドヘルドコンピュータ、ラップトップコンピュータ、ワイヤレスデータアクセスカード、ＧＰＳ受信機／ナビゲータ、カメラ、ＭＰ３プレイヤ、カムコーダ、ゲーム機、腕時計、時計、またはテレビである。
【００３１】
[0036]  図１に示されるように、基地局１０１はまた、少なくともメモリ１１２とトランシーバ１６５と結合されるプロセッサ１１１を含む。トランシーバ１６５は、アンテナ１７１と結合される受信機１６６と送信機１６７を含む。プロセッサ１１１、メモリ１１２、トランシーバ１６５、およびアンテナ１７１は、ワイヤレス端末１００に関して上記に説明されたように実施されうる。
【００３２】
[0037]  図１のワイヤレス通信システム１０では、基地局１０１は、第１の通信リンク１６１および／または第２の通信リンク１６３を介してワイヤレス端末１００へデータパケットを送信することができる。
【００３３】
[0038]  図２は、ワイヤレス端末および基地局などの通信ノードとの間の通信を容易にするために採用されうるコンポーネントの典型的な機能ブロック図を示す。特に、図２は、第１のワイヤレスデバイス２１０（例えば、基地局）および通信システム２００の第２のワイヤレスデバイス２５０（例えば、ワイヤレス端末）の簡略化されたブロック図である。第１のデバイス２１０において、いくつかの（a number of）データストリームのためのトラヒックデータは、データソース２１２から送信（ＴＸ）データプロセッサ２１４へ供給される。
【００３４】
[0039]  いくつかの実施では、各データストリームは、それぞれの送信アンテナで送信される。ＴＸデータプロセッサ２１４は、そのデータストリームのために選択された特定のコーディングスキームに基づいて各データストリームのためのトラヒックデータをフォーマットし、符号化し、およびインタリーブするように構成されうる。
【００３５】
[0040]  各データストリームの符号化データはＯＦＤＭ技術を用いて、パイロットデータと多重化されうる。パイロットデータは、典型的には既知の方法で処理される既知のデータパターンであり、受信機システムでチャネル応答の推定に使用されうる。その後、各データストリームのための多重化されたパイロットおよび符号化されたデータは、変調シンボルを提供するために、そのデータストリームのために選択された特定の変調スキーム（例えば、ＢＰＳＫ、ＱＳＰＫ、Ｍ−ＰＳＫ、または、Ｍ−ＱＡＭ）に基づいて、変調（つまり、シンボルマッピング）される。各データストリームのためのデータレート、符号化、および変調は、プロセッサ２３０によって実行される命令によって決定されうる。データメモリ２３２は、プロセッサ２３０またはデバイス２１０の他のコンポーネントによって使用されるプログラムコード、データ、および他の情報を記憶しうる。
【００３６】
[0041]  図２に示される実施では、いくつかのデータストリームのための変調シンボルは、ＴＸ ＭＩＭＯプロセッサ２２０へ供給され、これはさらに変調シンボル（例えば、ＯＦＤＭのための）を処理しうる。その後、ＴＸ ＭＩＭＯプロセッサ２２０は、トランシーバ（ＸＣＶＲ）２２２Ａないし２２２Ｔへ変調シンボルストリームを供給する。いくつかの態様では、ＴＸ ＭＩＭＯプロセッサ２２０は、データストリームのシンボルと、そのシンボルが送信されてくるアンテナとにビームフォーミング重みを適用する。
【００３７】
[0042]  各送信機２２２は、１つまたは複数のアナログ信号を供給するために、それぞれのシンボルストリームを受信および処理し、さらにアナログ信号を、チャネルでの送信のために適切な変調された信号を供給するために、アナログ信号を調整（例えば、増幅し、フィルタし、およびアップコンバート）する。その後、トランシーバ２２２Ａないし２２２Ｔからの変調された信号は、それぞれアンテナ２２４Ａないし２２４Ｔから送信される。
【００３８】
[0043]  第２のデバイス２５０において、送信された、変調された信号は、アンテナ２５２Ａないし２５２Ｒによって受信され、各アンテナ２５２から受信された信号がそれぞれのトランシーバ（ＸＣＶＲ）２５４Ａないし２５４Ｒに供給される。各トランシーバ２５４は、それぞれの受信された信号を調整（例えば、フィルタし、増幅し、およびダウンコンバート）するように構成されることができ、サンプルを提供するために調整された信号をデジタル化し、さらに対応する「受信された」シンボルストリームを提供するためにサンプルを処理する。
【００３９】
[0044]  その後、受信（ＲＸ）データプロセッサ１６５は、「検出された」シンボルストリームを提供するために、特定の受信機処理技術に基づいてトランシーバ２５４から受信されたシンボルストリームを受信し、処理する。その後、ＲＸデータプロセッサ１６５は、データストリームのためにトラヒックデータを回復させるために、各検出されたシンボルストリームを復調し、デインターリーブし、復号する。ＲＸデータプロセッサ１６５による処理は、デバイス２１０においてＴＸ ＭＩＭＯプロセッサ２２０およびＴＸデータプロセッサ２１４によって実行されるものと補完的である。
【００４０】
[0045]  プロセッサ２７０は、アップリンクメッセージを作りだし（formulate）、これは、通信リンクおよび／または受信されたデータストリームについての様々なタイプの情報を備えうる。その後、逆方向リンクメッセージは、データソース２３６からいくつかのデータストリームのためのトラヒックデータも受信するＴＸデータプロセッサ２３８によって処理され、変調器２８０によって変調され、トランシーバ２５４Ａないし２５４Ｒにより調整され,デバイス２１０に返送される。
【００４１】
[0046]  デバイス２１０では、第２のデバイス２５０からの変調された信号がアンテナ２２４によって受信され、トランシーバ２２２によって調整され、復調器（ＤＥＭＯＤ： demodulator）２４０によって復調され、ＲＸデータプロセッサ２４２によって処理され、第２のデバイス２５０によって送信されたアップリンクメッセージが抽出される。その後、プロセッサ２３０は抽出されたメッセージを処理する。
【００４２】
[0047]  また、図２は、通信コンポーネントが、アクセス制御を実行する１つまたは複数のコンポーネントを含みうることも図示する。例えば、アクセス制御コンポーネント２９０が、別のデバイス（例えば、デバイス２５０）へ／から信号を送る／受信するために、プロセッサ２３０および／またはデバイス２１０の他のコンポーネントと協働しうる。
同様に、アクセス制御コンポーネント２９２は、別のデバイス（例えば、デバイス２１０）へ／から信号を送る／受信するために、プロセッサ２７０および／またはデバイス２５０の他のコンポーネントと協働しうる。各デバイス２１０および２５０について、説明されたコンポーネントのうちの２つ以上の機能が単一のコンポーネントによって提供されうることが理解されるべきである。例えば、単一の処理コンポーネントは、アクセス制御コンポーネント２９０およびプロセッサ２３０の機能を提供することができ、単一の処理コンポーネントは、アクセス制御コンポーネント２９２およびプロセッサ２７０の機能を提供することができる。
【００４３】
[0048]  基地局とワイヤレス端末との間のインタフェースは、プロトコルのスタック（protocol stack）によって、いくつかのプロトコルの層から成ることを説明されることができ各プロトコルの層は、次の上のおよび／または下の層へ特定のサービスを提供する。
例えば、プロトコルのスタックの最上層は、しばしば無線リソース制御（ＲＲＣ）層と称され、ワイヤレス端末へのワイヤレス接続を制御するためにシグナリングを制御しうる。
この層は、加えて、基地局からワイヤレス端末の態様の制御を提供し、無線ベアラ、物理チャネル、異なるチャネルタイプのマッピング、測定およびその他の機能を制御するための機能を含みうる。
【００４４】
[0049]  送信されたデータパケットの適切な取扱いを確保するために、様々なプロトコルが、ワイヤレス端末および基地局にデータパケット送信を調整（coordinate）させるように実施されうる。ＵＭＴＳにおいて使用される１つのそのようなプロトコルは、３ＧＰＰ ＴＳ ２５．３２２において指定される無線リンク制御（ＲＬＣ）プロトコルである。
ＲＬＣプロトコルにしたがって、無線リンクは、「承認モード（ＡＭ： acknowledged mode）」において動作するように、基地局によって構成されうる。例えば、ワイヤレス端末によって送信されたデータパケットは、基地局によって承認されうる。承認は、一旦データパケットが基地局で受信されると、基地局から送信されうる。いくつかの実施では、基地局からワイヤレス端末へ、複数回に分けて承認を送信することが望ましい。例えば、ワイヤレス端末は、基地局によって受信されるデータパケットの承認の要求を示唆する基地局（例えば、ヘッダフィールドにおける）へのインジケータを送信しうる。承認インジケータ（投票ビット： poll bit）を送信するためのルールは、基地局によって構造可能（configurable）である。例えば、いくつかの実施では、基地局はワイヤレス端末が基地局によって受信されたパケットの承認を要求しうる、承認要求周波数期間を特定しうる。
【００４５】
[0050]  ワイヤレス端末は、承認されたデータパケットを、送信されるデータパケットのリストと比較しうる。ワイヤレス端末は、基地局が承認していない任意のデータパケットを再送しうる。いくつかの実例では、パケットが特定された時間の数再送に失敗した場合（例えば、承認が受信されない）、ワイヤレス端末は、基地局を有する通信リンクをリセットするよう試みるように構成されうる。いくつかの実例では、ワイヤレス通信の状態は、承認信号がワイヤレス端末に到達することまたは承認要求を含むパケットが基地局に到達することに失敗することのいずれかを引き起こしうる。
【００４６】
[0051]  ワイヤレス通信の状態は、ワイヤレス端末および基地局が、通信リンクをリセットするための適切な信号を交換することを妨げうる。いくつかの実例では、ワイヤレス端末は、特定された数のリセットを試み、それに失敗した場合、ワイヤレス端末は、基地局を有する通信リンクには責任がないとの仮定のもと、基地局から切断するように構成されうる。ワイヤレス端末がアクティブなＭＲＡＢコネクションを有する場合、たとえ欠陥のあるリンク（faulty link）がデータ通信リンクであったとしても、ワイヤレス端末は、データ通信の部分だけでなく、音声通信の部分も切断しうる。
【００４７】
[0052]  したがって、単一のＲＡＢコネクション（例えば、音声のみのコネクション）と比べてより高い、ＭＲＡＢコネクション（例えば、同時の音声およびデータコネクション）のための、切断されたコネクション・レートへ貢献している１つの要因は、貧弱なワイヤレス通信の状態でのデータ通信リンクを介した、ワイヤレス端末と基地局との間の承認交換の失敗である。ワイヤレス通信の状態は、音声コネクションに適切でありうる。しかしながら、ワイヤレス端末は、ただ１つのワイヤレス接続において失敗が起きた時、全てのワイヤレス接続をリセットするように構成されうる。したがって、ワイヤレス端末でのワイヤレス接続の切断を低減させる１つの方法は、呼のタイプおよびワイヤレス通信の状態に基づく基地局および／またはワイヤレス端末の承認予想（acknowledgement expectations）を変更することを含みうる。
【００４８】
[0053]  基地局によって構造可能なＲＬＣプロトコルのオペレーションの別のモードは、「不承認（unacknowledged）モード（ＵＭ）」である。このモードでは、ワイヤレス端末によって送信されたデータパケットは、基地局によって承認される必要がなく、したがってワイヤレス端末は基地局へ（例えば、ヘッダフィールドにおいて）インジケータを送信する必要がなく、これは基地局によって受信されたデータパケットの承認の要求を示す。その結果として、ＵＭと関連づけられたパケットヘッダは、承認インジケータを含まない。
【００４９】
[0054]  この発明で提案されているＲＬＣプロトコルのオペレーションはなお別のモードは、「デバイスによって初期化されるＵＭ」である。このモードは、承認モードのバリエーションであり、承認モードに関連づけられるパケットヘッダフォーマットを使用する。デバイスによって初期化されるＵＭモードでは、デバイスは承認インジケータを送信しないことによって基地局によって構成された承認インジケータを送信するためのルールを一方的に修正する。結果として、デバイスは、送信されたパケットのための基地局からの承認を受信することに関しての期待をもつことはない（will not have）。その結果として、無線リンクは、決してリセットされる必要がなくなり、承認の欠落のための無線リンクの失敗は決して起こらなくなる。
【００５０】
[0055]  図３は、ワイヤレス端末におけるワイヤレスの状態に基づく通信の方法の実施を例示した典型的な流れ図を示す。方法３００は、マルチ無線接続ベアラ呼が初期化され、データ無線ベアラが制御するＲＬＣプロトコルが承認モードで動作するように構成される、ブロック３０５で開始する。ブロック３１０において、ワイヤレス通信の品質が決定される。ワイヤレス通信の品質は、ワイヤレス信号品質要因（例えば、受信された信号コード電力、受信された信号強度、パイロットチャネル品質、チャネル品質インジケータ）、ブロック誤り率（例えば、物理レイヤ、中間アクセス制御レイヤ（medium access control layer）、無線リンク制御レイヤ）、ワイヤレス端末によって再送されたパケットの数、基地局によって承認されるパケットの数、基地局によって承認されないパケットの数、無線リンク制御レイヤリセットの発生、しきい値を超えるデバイスの送信電力、または貧弱なワイヤレス通信状態の他の兆候（indicia）に基づいて決定されうる。いくつかの実施では、コントローラは、１つまたは複数の検出器から直接または間接的に様々な品質インジケータを取得しうる。検出器は、メモリにおいて検出された品質インジケータを記憶することによって品質インジケータを提供しうる。品質は、別個または統合されたアセスメント（aggregated assessment）（例えば、要因のための平均値、複数の要因を含む合成計算（composite calculation））でありうる。
【００５１】
[0056]  決定ブロック３１５において、決定される品質は、通信モードにおける切り替えが適切である場合、決定するために評価される。例えば、プロセッサは、決定される品質をメモリに記憶されたしきい値ワイヤレス品質レベルと比べうる。品質が切り替えが必要とされない状態を示唆する場合には、方法３００は決定ブロック３２０に続く。決定ブロック３２０において、方法３００は、呼がいまだにアクティブであるかどうかを決定する。呼がアクティブである場合、方法３００は、ワイヤレス通信の品質を再び評価するためにブロック３１０へ戻る。いくつかの構成では、タイマは、ブロック３１０の決定が特定されたインターバルにおいて実行されるように含まれうる。
【００５２】
[0057]  ブロック３１５に戻すと、品質が切り替えが必要とされる状態を示唆する場合、方法３００はブロック３２５へ続く。ブロック３２５において、ワイヤレス端末におけるデータ無線ベアラのための現在の無線リンク制御（ＲＬＣ）モードが決定される。１つの実施にしたがって、ワイヤレス端末のためのモードは、デバイスによって初期化される不承認モード、または初期にＲＡＮによって構成される承認モードを含みうる。
【００５３】
[0058]  ブロック３３０において、現在のＲＬＣモードが承認モードである場合、方法３００はブロック３３５に続く。ブロック３３５において、ワイヤレス端末は、基地局から承認が要求されないような基地局へ送信されるパケット上に承認インジケータを無条件に設定することによってデバイスによって初期化されるＵＭへ切り替えるように構成される。反対に、ブロック３３０に戻すと、現在のＲＬＣモードがデバイスによって初期化されるＵＭである場合、方法はブロック３４０に続く。ブロック３４０において、ワイヤレス端末は、ネットワーク構成に従って、承認インジケータを設定するように構成される。
【００５４】
[0059]  図４は、ワイヤレス端末における送信電力制御の方法の別の実施を例示す流れ図である。方法４００は、ワイヤレス端末がワイヤレス通信リンクを確立するブロック４０２において開始する。ブロック４０４において、ワイヤレス端末は、ワイヤレス通信リンクを介して送信された承認インジケータを変更する。インジケータは、ワイヤレス通信のタイプ（例えば、ＭＲＡＢ）および上記に説明されたそれらの品質要因などの、ワイヤレス通信リンクの状態に基づいて変更されうる。
【００５５】
[0060]  図５は、別のワイヤレス端末の典型的な機能ブロック図を示す。当業者であれば、ワイヤレス端末は図５に例示される簡易化されたワイヤレス端末５００よりも多くのコンポーネントを有しうることを理解するであろう。ワイヤレス端末５００は、特許請求の範囲内の実施のいくつかの目立った特徴を説明するために有益なそれらのコンポーネントのみを含む。ワイヤレス端末５００は、確立（establishing）回路５３０、変更（altering）回路５４０、送信回路５５０、およびアンテナ５６０を含む。１つの実施では、確立回路５３０はワイヤレス通信リンクを確立するように構成される。１つの実施では、確立するための手段は、確立回路５３０を含む。１つの実施では、変更回路５４０は、ワイヤレス通信のタイプおよびワイヤレス通信リンクの状態に一部基づいて（base）送信回路によって使用される承認インジケータを変更するように構成される。１つの実施では、変更するための手段は、変更回路５４０を含む。送信回路５５０は、アンテナ５６０を介して、基地局へ、承認インジケータを含むデータを送信しうる。１つの実施では、送信するための手段は、送信回路５５０を含む。
【００５６】
[0061]  ワイヤレス端末は、ユーザ機器、加入者局、加入者ユニット、移動局、携帯電話、移動ノード、リモート局、リモート端末、ユーザ端末、ユーザエージェント、ユーザデバイス、または何らかの他の専門用語を備えることができ、これらとして実施されることができ、または、これらとして周知でありうる。いくつかの実施において、ワイヤレス端末は、セルラ電話、コードレス電話、セッション開始プロトコル（ＳＩＰ）電話、ワイヤレス・ローカル・ループ（ＷＬＬ）局、携帯情報端末（ＰＤＡ）、ワイヤレス接続能力を有するハンドヘルドデバイス、またはワイヤレスモデムに接続された何らかの他の適切な処理デバイスを備えうる。したがって、ここで教示する１つまたは複数の態様は、電話（例えば、セルラ電話またはスマートフォン）中に、コンピュータ（例えば、ラップトップ）中に、ポータブル通信デバイス中に、ポータブルコンピューティングデバイス（例えば、携帯情報端末）中に、エンターテインメントデバイス（例えば、音楽デバイス、ビデオのデバイス、あるいは、衛星ラジオ）中に、全地球測位システムデバイス中に、あるいは、ワイヤレス媒体を介して通信するように構成されている他の何らかの適切なデバイス中に、組み込まれうる。
【００５７】
[0062]  基地局は、ノードＢ、ｅノードＢ、無線ネットワークコントローラ（ＲＮＣ）、基地局（ＢＳ）、無線基地局（ＲＢＳ）、基地局コントローラ（ＢＳＣ）、基地トランシーバ局（ＢＴＳ：base tranceiver station）、トランシーバ機能（ＴＦ）、無線トランシーバ、無線ルータ、基礎サービスセット（ＢＳＳ： basic service set）、拡張されたサービスセット（ＥＳＳ）、またはその他同様の専門用語を備えることができ、これらとして実施されることができ、または、これらとして周知でありうる。
【００５８】
[0063]  いくつかの態様では、基地局は、通信システムのためのアクセスノードを備えうる。このようなアクセスノードは、例えば、ネットワークへのワイヤードまたはワイヤレスの通信リンクを介しての、ネットワーク（例えば、セルラネットワークまたはインターネットのような広範囲のネットワーク）のための接続性あるいはネットワークへの接続性を提供しうる。したがって、基地局は、別のノード（例えば、ワイヤレス端末）を、ネットワークまたはその他の機能を可能にしうる。加えて、ノードのうちの１つまたは両方がポータブルである、または、いくつかの場合において、比較的に携帯できない（non-portable）ことが理解されるべきである。
【００５９】
[0064]  また、ワイヤレスノードは、ノン・ワイヤレスの方法で（例えば、ワイヤード接続を介して）情報を送信および／または受信することが可能でありうる。したがって、ここに説明されるとおり、受信機および送信機はノン・ワイヤレス媒体を介して通信するための適切な通信インタフェースコンポーネント（例えば、電子的または光学的インタフェースコンポーネント）を含みうる。
【００６０】
[0065]  ワイヤレス端末またはノードは、任意の適切なワイヤレス通信技術に基づく、あるいはそうでなければそれを支援する１つまたは複数のワイヤレス通信リンクを介して通信しうる。例えば、いくつかの態様では、ワイヤレス端末は、ネットワークと関連づけられうる。いくつかの態様では、ネットワークは、ローカルエリアネットワークまたは広域ネットワークを備えうる。ワイヤレス端末は、ここに説明されたような、１つまたは複数の様々なワイヤレス通信技術、プロトコル、または規格（例えば、ＣＤＭＡ、ＴＤＭＡ、ＯＦＤＭ、ＯＦＤＭＡ、ＷｉＭＡＸ（登録商標）、Ｗｉ−Ｆｉ（登録商標）、など）を支援、またはそうでなければ使用しうる。同様に、ワイヤレス端末は、１つまたは複数の様々な対応する変調または多重化スキームを支援、またはそうでなければ使用しうる。したがって、ワイヤレス端末は、上記のまたは他のワイヤレス通信技術を用いる１つまたは複数のワイヤレス通信リンクを介して確立および通信するために、適切なコンポーネント（例えば、エアインタフェース）を含みうる。例えば、ワイヤレス端末は、ワイヤレス媒体上での通信を容易にする様々なコンポーネント（例えば、単一のジェネレータおよび単一のプロセッサ）を含みうる受信機コンポーネントおよび送信機コンポーネントに関連付けられるワイヤレストランシーバを備えうる。
【００６１】
[0066]  本明細書において、例えば、「第１の」、「第２の」等のような指定を用いた、要素に対するいずれの参照も、一般に、これら要素の数も順序も限定しないことが理解されるべきである。むしろ、これらの指定は、２つ以上の要素または要素の事例の間で区別する便利な方法としてここで使用されうる。したがって、第１の要素および第２の要素への参照は、そこで２つだけの要素しか採用できないことも、何らかの方法で第１の要素が第２の要素に先行しなければならないことも、意味していない。また、特に明記されていない限り、要素のセットは、１つまたは複数の要素を備えうる。
【００６２】
[0067]  当業者であれば、情報および信号は、様々な異なる技術および技法のうちのいずれを用いても表されうることを理解するであろう。例えば、上記の説明を通して参照されうるデータ、命令、コマンド、情報、信号、ビット、シンボル、およびチップは、電圧、電流、電磁波、磁界あるいは磁気粒子、光学界または光学粒子、あるいはそれら任意の組み合わせによって表わされうる。
【００６３】
[0068]  当業者は、本明細書に開示される態様と関連して説明される、任意の、様々なアルゴリズムのステップ、回路、手段、プロセッサ、モジュール、および例示的な倫理ブロックが電子ハードウェア（例えば、デジタル実現、アナログ実装（analog implementation）、またはこれら２つの組み合わせで、これはソースコーディング、またはその他の技術を用いて設計されうる）、命令を組み込む設計コードまたはプログラムの様々な様式（form）（ここでは、便宜上、「ソフトウェア」、または「ソフトウェアモジュール」と称されうる）、または両方の組み合わせとして実施されうることを、さらに理解するであろう。ハードウェアおよびソフトウェアのこの互換性を明確に例示するために、様々な例示的なコンポーネント、ブロック、モジュール、回路、およびステップが、一般にそれらの機能の観点から上記で説明された。このような機能が、ハードウェアとして実施されるか、あるいはソフトウェアとして実施されるかは、システム全体に課せられる設計制約および特定のアプリケーションに依存する。当業者は、各々の特定のアプリケーションに関して、様々な方法で、説明された機能を実施することができるが、このような実施の決定は、本開示の範囲からの逸脱を引き起こしていると解釈されるべきでない。
【００６４】
[0069]  本明細書に開示される態様と関連して説明される様々な例示的な論理ブロック、モジュール、および回路は、集積回路（ＩＣ）、ワイヤレス端末、または基地局内で実施され、またはそれらによって実行されうる。ＩＣは、汎用プロセッサ、デジタル信号プロセッサ（ＤＳＰ）、特定用途集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、電子コンポーネント、光学コンポーネント、機械コンポーネント、またはここに説明された機能を実行するように設計されるこれら任意の組み合わせを備え、ＩＣ内、ＩＣの外部、またはその両方に存在するコードまたは命令を実行しうる。汎用プロセッサは、マイクロプロセッサでありうるが、代替で、プロセッサは任意の従来のプロセッサ、コントローラ、マイクロコントローラ、またはステートマシンでありうる。また、プロセッサは、例えば、ＤＳＰとマイクロプロセッサの組み合わせ、複数のマイクロプロセッサ、ＤＳＰコアと連携した１つまたは複数のマイクロプロセッサ、またはその他任意のこのような構成であるコンピューティングデバイスの組み合わせとして実施されうる。
【００６５】
[0070]  いずれの開示された処理におけるステップのいずれの特定の順序または階層は、サンプルのアプローチの例であることが理解される。設計の嗜好（preference）に基づいて、これら処理におけるステップの特定の順序または階層は、本開示の範囲内にとどまりながら再構成されうることが理解される。付随の方法の請求項は、サンプルの順序において、様々なステップの要素を示し、示された特定の順序または階層に限定されるようには意図されない。
【００６６】
[0071]  説明された機能は、ハードウェア、ソフトウェア、ファームウェア、またはそれらの任意の組み合わせにおいて実施されうる。ソフトウェアで実施される場合、これらの機能は、コンピュータ読取可能な媒体上で、１つまたは複数の命令またはコードとして送信（transmitted over）または記憶されうる。コンピュータ読取可能な媒体は、ある場所から別の場所へのコンピュータプログラムの転送を容易にする任意の媒体を含む通信媒体とコンピュータ記憶媒体との両方を含む。記憶媒体は、コンピュータによってアクセスできる任意の利用可能な媒体でありうる。限定ではなく例として、このようなコンピュータ読取可能な媒体は、ＲＡＭ、ＲＯＭ、ＥＥＰＲＯＭ（登録商標）、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスできるその他任意の媒体を備えうる。また、任意の接続は、コンピュータ読取可能な媒体と厳密には称される。例えば、ソフトウェアが、ウェブサイト、サーバ、または同軸ケーブル、ファイバ光ケーブル、ツイスト・ペア、デジタル加入者線（ＤＳＬ）、または赤外線、無線、マイクロ波のようなワイヤレス技術を使用している他の遠隔ソースから送信された場合には、同軸ケーブル、ファイバ光ケーブル、ツイスト・ペア、ＤＳＬ、または赤外線、無線、およびマイクロ波のようなワイヤレス技術は、媒体の定義に含まれる。ここで使用される、ディスク（ｄｉｓｋ）とディスク（ｄｉｓｃ）は、コンパクトディスク（ＣＤ)、レーザーディスク（（登録商標））、光学ディスク、デジタル多用途ディスク（ＤＶＤ)、フロッピー（登録商標）ディスク、およびブルーレイ（登録商標）ディスクを含み、ディスク（ｄｉｓｋ）はしばしばデータを磁気的に再生し、ディスク（disc）は、レーザで光学的に再生する。上記の組み合わせもまた、コンピュータ読取可能な媒体の範囲内に含まれるべきである。要約すると、コンピュータ読取可能な媒体は、任意の適切なコンピュータプログラム製品において実施されうることが理解されるべきである。
【００６７】
[0072]  上記の説明は、いずれの当業者も付随された特許請求の範囲内の実施の作成および使用することを可能にするために、提供される。これらの態様に対するさまざまな変更は、当業者にとって容易に明らかになり、ここで定義された一般的な原理は、本開示の範囲から逸脱することなく、他の態様に適用されうる。したがって、本開示は、ここに示された態様に限定されるようには意図されず、ここに開示される原理および新規な特徴と一致する最も広い範囲を与えられることとなる。
【誤訳訂正３】
【訂正対象書類名】図面
【訂正対象項目名】図３
【訂正方法】変更
【訂正の内容】
【図３】
2014528212.tif 000001
【誤訳訂正４】
【訂正対象書類名】図面
【訂正対象項目名】図４
【訂正方法】変更
【訂正の内容】
【図４】
2014528212.tif 000002